(57)【特許請求の範囲】
【請求項１】
長尺状の配線器具ダクトを建物の柱材に取り付ける構造であって、前記柱材を、断面を略コ字状に形成し、コ字部の両端を夫々内側に折曲した折曲部を有する部材を背面同士を共有して対称形状とし、対向する折曲部間に壁材を夫々挿入して形成し、一方の前記壁材と前記折曲部間の間隙と、他方の前記壁材と前記折曲部間の間隙とに両端を夫々内側に折曲した折曲部を有する取付金具の折曲部を夫々挟み込み、該取付金具を両端に折曲部を形成した脚部、中間部を配線器具ダクト取付部とし、該配線器具ダクト取付部に前記配線器具ダクトを取付手段で取り付け可能とすると共に、適宜箇所で二以上の部材に分割可能とし、接続手段で分割した前記部材を接続することを特徴とする配線器具ダクトの取付構造。
【発明の詳細な説明】
【０００１】
【産業上の利用分野】
本発明は、配線器具ダクトを建物の柱材に取り付ける構造に関する。
【０００２】
【従来の技術】
従来、配線器具ダクトを建物の柱材に取り付ける構造は、図８に示すものがあった。即ち、柱材３２は断面を略コ字状に形成し、このコ字部の両端を夫々内側に折曲した折曲部３３，３３を有する部材を背面同士を共有して対称形状とし、対向する折曲部３３，３３間に壁材３４，３４を夫々挿入して形成する。この柱材３２に孔を開けてビス３５等で配線器具ダクト３１を取り付けていた。
【０００３】
【発明が解決しようとする課題】
しかしながら上記従来の配線器具ダクトの取付構造によると、柱材３２に孔が開いてしまい、特に仮設ハウス等では孔の開いた部材は商品価値が失われ、使用後は廃材となってしまうという欠点があった。
【０００４】
【課題を解決するための手段】
上記従来の配線器具ダクトの取付構造の問題点に鑑み、本発明の目的は、柱材に孔を開けなくとも配線器具ダクトを取り付けることができる配線器具ダクトの取付構造を提供するもので、長尺状の配線器具ダクトを建物の柱材に取り付ける構造であって、前記柱材を、断面を略コ字状に形成し、コ字部の両端を夫々内側に折曲した折曲部を有する部材を背面同士を共有して対称形状とし、対向する折曲部間に壁材を夫々挿入して形成し、一方の前記壁材と前記折曲部間の間隙と、他方の前記壁材と前記折曲部間の間隙とに両端を夫々内側に折曲した折曲部を有する取付金具の折曲部を夫々挟み込み、該取付金具を両端に折曲部を形成した脚部、中間部を配線器具ダクト取付部とし、該配線器具ダクト取付部に前記配線器具ダクトを取付手段で取り付け可能とすると共に、適宜箇所で二以上の部材に分割可能とし、接続手段で分割した前記部材を接続することである。
【０００５】
【発明の実施の形態】
二以上に分割した部材から成る取付金具の折曲部を、一方の壁材と折曲部間の間隙に挟み込み、他方の壁材と折曲部間の間隙に夫々挟み込み、分割した取付金具の部材を接続する。この取付金具の配線器具ダクト取付部に配線器具ダクトを取付手段で取り付ける。
【０００６】
【実施例】
本発明に係る配線器具ダクトの取付構造の第一実施例を図１〜図３に示す。以下これらの図面に基づいて本発明を説明する。
【０００７】
柱材２を、断面を略コ字状に形成し、コ字部の両端を夫々内側に折曲した折曲部２Ａ，２Ａを有する部材を背面同士を共有して対称形状とし、対向する折曲部２Ａ，２Ａ間に壁材３，３を夫々挿入して形成し、一方の壁材３と折曲部２Ａ間の間隙と、他方の壁材３と折曲部２Ａ間の間隙とに両端を夫々内側に折曲した折曲部４，４を有する取付金具５の折曲部４，４を夫々挟み込み、この取付金具５を両端に折曲部４を形成した脚部６，６、中間部を配線器具ダクト取付部７とし、配線器具ダクト取付部７に配線器具ダクト１をネジ８，８で取り付け可能とすると共に、中間部で二つの部材に分割可能とし、ネジ９で分割した部材を接続する。配線器具ダクト１には取付金具５の接続部を配線器具ダクト１の内部に挿通する挿通孔１Ａが穿設されており、取付金具５のネジ８，８を取り付ける螺孔５Ａ，５Ａはネジ８で螺着した時にネジ８の軸部が柱材２を傷つけないよう段部５Ｂ，５Ｂが設けられている。
【０００８】
二つに分割した部材から成る取付金具５の折曲部４を、一方の壁材３と折曲部２Ａ間の間隙に挟み込み、他方の壁材３と折曲部２Ａ間の間隙に夫々挟み込み、分割した取付金具５の部材をネジ９で接続する。この取付金具５の配線器具ダクト取付部７に配線器具ダクト１をネジ８，８で取り付ける。
【０００９】
本発明に係る配線器具ダクトの取付構造の第二実施例を図４〜図６に示す。以下これらの図面に基づいて本発明を説明する。
【００１０】
柱材２を、断面を略コ字状に形成し、コ字部の両端を夫々内側に折曲した折曲部２Ａ，２Ａを有する部材を背面同士を共有して対称形状とし、対向する折曲部２Ａ，２Ａ間に壁材３，３を夫々挿入して形成し、一方の壁材３と折曲部２Ａ間の間隙と、他方の壁材３と折曲部２Ａ間の間隙とに両端を夫々内側に折曲した折曲部１４，１４を有する取付金具１５の折曲部１４，１４を夫々挟み込み、この取付金具１５を両端に折曲部１４を形成した脚部１６，１６、中間部を配線器具ダクト取付部１７とし、配線器具ダクト取付部１７に配線器具ダクト１をネジ８，８で取り付け可能とすると共に、両脚部１６，１６と配線器具ダクト取付部１７との三つの部材に分割可能とし、ネジ１９，１９で分割した部材を接続する。取付金具１５のネジ８，８を取り付ける螺孔１５Ａ，１５Ａはネジ８で螺着した時にネジ８の軸部が柱材２を傷つけないよう段部１５Ｂ，１５Ｂが設けられている。
【００１１】
三つに分割した部材から成る取付金具１５の折曲部１４を、一方の壁材３と折曲部２Ａ間の間隙に挟み込み、他方の壁材３と折曲部２Ａ間の間隙に夫々挟み込み、分割した取付金具１５の部材をネジ１９，１９で接続する。この取付金具１５の配線器具ダクト取付部１７に配線器具ダクト１をネジ８，８で取り付ける。
【００１２】
また、図６に示すように、この取付金具１５の配線器具ダクト取付部は、配線器具ダクト１から突出した箇所に部材同士を接続する接続部があるので、配線器具ダクト１の配線器具ダクトカバー１Ｂを外さなくとも壁材３へ木ネジ１９Ａ，１９Ａを用いて取付変更ができる。
【００１３】
本発明に係る配線器具ダクトの取付構造の第三実施例を図７に示す。以下この図面に基づいて本発明を説明する。
【００１４】
柱材２を、断面を略コ字状に形成し、コ字部の両端を夫々内側に折曲した折曲部２Ａ，２Ａを有する部材を背面同士を共有して対称形状とし、対向する折曲部２Ａ，２Ａ間に壁材３，３を夫々挿入して形成し、一方の壁材３と折曲部２Ａ間の間隙と、他方の壁材３と折曲部２Ａ間の間隙とに両端を夫々内側に折曲した折曲部２４，２４を有する取付金具２５の折曲部２４，２４を夫々挟み込み、この取付金具２５を両端に折曲部２４を形成した脚部２６，２６、中間部を配線器具ダクト取付部２７とし、配線器具ダクト取付部２７に配線器具ダクト１をネジ８，８で取り付け可能とすると共に、一方の脚部１６、他方の脚部１６と配線器具ダクト取付部１７とを一体に形成した二つの部材に分割可能とし、ネジ２９で分割した部材を接続する。取付金具２５のネジ８，８を取り付ける螺孔２５Ａ，２５Ａはネジ８で螺着した時にネジ８の軸部が柱材２を傷つけないよう段部２５Ｂ，２５Ｂが設けられている。
【００１５】
二つに分割した部材から成る取付金具２５の折曲部２４を、一方の壁材３と折曲部２Ａ間の間隙に挟み込み、他方の壁材３と折曲部２Ａ間の間隙に夫々挟み込み、分割した取付金具２５の部材をネジ２９で接続する。この取付金具２５の配線器具ダクト取付部２７に配線器具ダクト１をネジ８，８で取り付ける。
【００１６】
尚、これらの実施例では配線器具ダクトを取付金具に取り付ける手段としてネジを用いているが、これに限定されるものではなく、フック等を用いたり、粘着テープで貼付したり、それらとネジを併用してもよく、本発明の趣旨を逸脱しない範囲で適宜変更可能である。
【００１７】
【発明の効果】
以上説明したように本発明に係る配線器具ダクトの取付構造は、長尺状の配線器具ダクトを建物の柱材に取り付ける構造であって、前記柱材を、断面を略コ字状に形成し、コ字部の両端を夫々内側に折曲した折曲部を有する部材を背面同士を共有して対称形状とし、対向する折曲部間に壁材を夫々挿入して形成し、一方の前記壁材と前記折曲部間の間隙と、他方の前記壁材と前記折曲部間の間隙とに両端を夫々内側に折曲した折曲部を有する取付金具の折曲部を夫々挟み込み、該取付金具を両端に折曲部を形成した脚部、中間部を配線器具ダクト取付部とし、該配線器具ダクト取付部に前記配線器具ダクトを取付手段で取り付け可能とすると共に、適宜箇所で二以上の部材に分割可能とし、接続手段で分割した前記部材を接続することによって、柱材に孔を開けなくとも配線器具ダクトを取り付けることができ、そのため柱材は繰り返し使用できるという効果があると共に、廃材を減らすことができる点で環境への影響を抑制できるという効果がある。
【図面の簡単な説明】
【図１】本発明に係る配線器具ダクトの外観説明図である。
【図２】本発明に係る配線器具ダクトの取付構造の第一実施例の説明図である。
【図３】本発明に係る配線器具ダクトの取付構造の第一実施例の斜視説明図である。
【図４】本発明に係る配線器具ダクトの取付構造の第二実施例の説明図である。
【図５】本発明に係る配線器具ダクトの取付構造の第二実施例の斜視説明図である。
【図６】本発明に係る配線器具ダクトの取付構造の第二実施例の壁材取付時の説明図である。
【図７】本発明に係る配線器具ダクトの取付構造の第三実施例の説明図である。
【図８】従来の配線器具ダクトの取付構造の説明図である。
【符号の説明】
１    配線器具ダクト
２    柱材
２Ａ  折曲部
３    壁材
４    折曲部
５    取付金具
６    脚部
７    配線器具ダクト取付部
８    ネジ
９    ネジ
【図１】
0003585161.tif 000002
【図２】
0003585161.tif 000003
【図３】
0003585161.tif 000004
【図４】
0003585161.tif 000005
【図５】
0003585161.tif 000006
【図６】
0003585161.tif 000007
【図７】
0003585161.tif 000008
【図８】
0003585161.tif 000009